(57)【特許請求の範囲】
【請求項１】
情報処理端末のディスプレイに表示される文書を管理するように構成されたサーバコンピュータであって、
ユーザによる指定文書を認識する第１処理部と、
前記ユーザまたはその所属先を識別するための識別子を認識する第２処理部と、
画像処理部とを備え、
前記画像処理部が、
前記第１処理部により認識された前記指定文書が含まれている第１画像を、少なくとも前記第１画像が格納されているデータベースから検索し、または必要に応じて前記データベースから前記第１画像を構成する指定文書が含まれる第１基礎情報を検索し、該第１基礎情報に基づいて前記第１画像を作成する第１画像処理部と、
前記第２処理部により認識された前記識別子が含まれている第２画像を、少なくとも前記第２画像が格納されている前記データベースから検索し、または必要に応じて前記データベースから前記第２画像を構成する前記識別子が含まれる第２基礎情報を検索し、該第２基礎情報に基づいて前記第２画像を作成する第２画像処理部と、
前記第１画像処理部により作成または検索された前記第１画像と、前記第２画像処理部により作成または検索された前記第２画像とを合成することにより合成画像を作成する画像合成部と、
前記画像合成部より作成された前記合成画像を前記情報処理端末の前記ディスプレイに表示させる画像出力部とを備えていることを特徴とするサーバコンピュータ。
【請求項２】
請求項１記載のサーバコンピュータにおいて、
前記画像合成部が、前記第１処理部により認識された前記指定文書および前記第２処理部により認識された前記識別子の重なりがない前記合成画像を作成することを特徴とするサーバコンピュータ。
【請求項３】
請求項１記載のサーバコンピュータにおいて、
前記画像合成部が、前記第１処理部により認識された前記指定文書と前記第２処理部により認識された前記識別子とが部分的に重なった前記合成画像を作成することを特徴とするサーバコンピュータ。
【請求項４】
請求項１記載のサーバコンピュータにおいて、
前記画像合成部が、前記指定文書および前記識別子の相対的配置が動的に変化する前記合成画像を作成することを特徴とするサーバコンピュータ。
【請求項５】
請求項１記載のサーバコンピュータにおいて、
前記画像合成部が、前記第１処理部により認識された前記指定文書またはこれに含まれる文字のデザインと、前記第２処理部により認識された前記識別子またはこれに含まれる文字のデザインとが異なる前記合成画像を作成することを特徴とするサーバコンピュータ。
【請求項６】
請求項１記載のサーバコンピュータにおいて、
前記画像合成部が、前記第１処理部により認識された前記指定文書および前記第２処理部により認識された前記識別子の重なり度を評価し、前記重なり度の相違に応じて前記指定文書またはこれに含まれる文字のデザインと、前記識別子またはこれに含まれる文字のデザインとが異なる前記合成画像を作成することを特徴とするサーバコンピュータ。
【請求項７】
請求項６記載のサーバコンピュータにおいて、
前記画像合成部が、前記重なり度が高いほど前記識別子の明度が前記指定文書の明度より高い前記合成画像を作成することを特徴とするサーバコンピュータ。
【請求項８】
請求項６記載のサーバコンピュータにおいて、
前記画像合成部が、画像において前記指定文書を包含する第１エリアと前記識別子を包含する第２エリアとの重なり面積を前記指定文書および前記識別子の重なり度として評価することを特徴とするサーバコンピュータ。
【請求項９】
請求項６記載のサーバコンピュータにおいて、
前記画像合成部が、前記合成画像を構成する画素群のうち前記指定文書が占める第１画素群と、前記識別子が占める第２画素群との重なり画素数を、前記指定文書および前記識別子の重なり度として評価することを特徴とするサーバコンピュータ。
【請求項１０】
請求項１記載のサーバコンピュータにおいて、
前記画像合成部が、前記第１処理部により認識された前記指定文書の機密保持の観点から定められた重要度を認識し、前記重要度の相違に応じて前記指定文書またはこれに含まれる文字のデザイン、または前記第２処理部により認識された前記識別子またはこれに含まれる文字のデザインを調節して前記合成画像を作成することを特徴とするサーバコンピュータ。
【請求項１１】
請求項１記載のサーバコンピュータにおいて、
前記ユーザを認証する認証処理部をさらに備え、前記認証処理部により前記ユーザが認証された場合のみ前記第１処理部が当該ユーザにより指定された前記指定文書を認識することを特徴とするサーバコンピュータ。
【請求項１２】
請求項１１記載のサーバコンピュータにおいて、
前記第２処理部が、前記認証処理部による前記ユーザの認証に用いられた認証子に対応する前記識別子をデータベースから検索かつ認識することを特徴とするサーバコンピュータ。
【請求項１３】
請求項１記載のサーバコンピュータにおいて、
前記画像合成部が、前記第１処理部により認識された前記指定文書が含まれる、前記情報処理端末に接続された印刷機器による印刷物に、前記第２処理部により認識された前記識別子を含ませることを特徴とするサーバコンピュータ。
【請求項１４】
コンピュータを文書管理システムとして機能させるコンピュータプログラムであって、
ユーザによる指定文書を認識する第１処理機能と、
前記ユーザまたはその所属先を識別するための識別子を認識する第２処理機能と、
前記第１処理機能により認識された前記指定文書が含まれている第１画像を、少なくとも前記第１画像が格納されているデータベースから検索し、または必要に応じて前記データベースから前記第１画像を構成する指定文書が含まれる第１基礎情報を検索し、該第１基礎情報に基づいて前記第１画像を作成する第１画像処理機能と、
前記第２処理機能により認識された前記識別子が含まれている第２画像を、少なくとも前記第２画像が格納されている前記データベースから検索し、または必要に応じて前記データベースから前記第２画像を構成する前記識別子が含まれる第２基礎情報を検索し、該第２基礎情報に基づいて前記第２画像を作成する第２画像処理機能と、
前記第１画像処理機能により作成または検索された前記第１画像と、前記第２画像処理部により作成または検索された前記第２画像とを合成することにより合成画像を作成する画像合成機能と、
前記画像合成機能により作成された前記合成画像を前記情報処理端末の前記ディスプレイに表示させる画像出力機能とを前記コンピュータに付与することを特徴とする文書管理プログラム。
【発明の詳細な説明】
【技術分野】
【０００１】
本発明は、情報処理端末に表示される文書を管理するサーバコンピュータ（以下、適宜「サーバ」という。）、および当該管理機能をコンピュータに付与するプログラムに関する。
【背景技術】
【０００２】
従来、文書の不正コピーおよび配布を防止するため、その文書の管理者を特定し得るように、文書データとともに印影データを紙に印刷する技術が提案されている（たとえば特開２００１−３４４５５７号公報参照）。
【発明の開示】
【発明が解決しようとする課題】
【０００３】
しかし、文書がパソコン等の情報処理端末に画像表示されている状態等、文書が紙媒体に印刷されていない状態で、その文書がカメラにより撮影されて不正コピー等された場合、撮影文書には印影データが現れないので、文書の漏洩元を特定することはできない。
【０００４】
そこで、本発明は、紙媒体に印刷されていない状態での文書の管理者が特定され得るように、当該文書を管理し得るサーバコンピュータおよびプログラムを提供することを解決課題とする。
【課題を解決するための手段】
【０００５】
前記課題を解決するための本発明のサーバコンピュータは、情報処理端末のディスプレイに表示される文書を管理するように構成されたサーバコンピュータであって、ユーザによる指定文書を認識する第１処理部と、前記ユーザまたはその所属先を識別するための識別子を認識する第２処理部と、画像処理部とを備え、前記画像処理部が、前記第１処理部により認識された前記指定文書が含まれている第１画像を、少なくとも前記第１画像が格納されているデータベースから検索し、または必要に応じて前記データベースから前記第１画像を構成する指定文書が含まれる第１基礎情報を検索し、該第１基礎情報に基づいて前記第１画像を作成する第１画像処理部と、前記第２処理部により認識された前記識別子が含まれている第２画像を、少なくとも前記第２画像が格納されている前記データベースから検索し、または必要に応じて前記データベースから前記第２画像を構成する前記識別子が含まれる第２基礎情報を検索し、該第２基礎情報に基づいて前記第２画像を作成する第２画像処理部と、前記第１画像処理部により作成または検索された前記第１画像と、前記第２画像処理部により作成または検索された前記第２画像とを合成することにより合成画像を作成する画像合成部と、前記画像合成部より作成された前記合成画像を前記情報処理端末の前記ディスプレイに表示させる画像出力部とを備えていることを特徴とする。
【０００６】
本発明のサーバコンピュータによれば、ユーザによる指定文書が含まれている「第１画像」とユーザ等を識別するための識別子が含まれている「第２画像」とが、前記のように当該識別子および指定文書の配置が調節されながら合成画像が作成される。そして、この合成画像が情報処理端末のディスプレイに表示される。
【０００７】
これにより、情報処理端末のディスプレイに表示されている合成画像が写真撮影された場合、指定文書のみならず識別子も写真撮影されることになる。したがって、その写真が不正にコピーされて配布等されても、当該指定文書の漏洩元を識別子に基づいて特定することができる。すなわち、識別子が個人または組織を特定するためのスタンプとして指定文書とともに表示されることで、このような不正コピーをしようとする心理が抑制されうる。
【０００８】
さらに、合成画像における指定文書および識別子の配置が調節されるので、両者の識別難易度等に応じて指定文書および識別子が適当に配置された合成画像が情報処理端末のディスプレイに表示されうる。
【０００９】
前記画像合成部が、前記第１処理部により認識された前記指定文書および前記第２処理部により認識された前記識別子の重なりがない前記合成画像を作成することが好ましい。
【００１０】
当該構成のサーバコンピュータによれば、情報処理端末に表示される第１画像および第２画像の合成画像における指定文書および識別子の重なりが回避されるので、ユーザにとっての指定文書および識別子の識別をさらに容易にすることができる。
【００１１】
前記画像合成部が、前記第１処理部により認識された前記指定文書と前記第２処理部により認識された前記識別子とが部分的に重なった前記合成画像を作成することが好ましい。
【００１２】
当該構成のサーバコンピュータによれば、情報処理端末のディスプレイに表示された合成画像の写真またはそのコピーにおいて、指定文書および識別子が部分的に重ね合わせられている。これにより、指定文書が含まれている合成画像の写真またはそのコピー等からの識別子の削除または消去を困難なものとし、識別子が削除された指定文書のコピー等が流布して文書漏洩元が特定されえなくなるような事態を回避することができる。
【００１３】
前記画像合成部が、前記指定文書および前記識別子の相対的配置が動的に変化する前記合成画像を作成することが好ましい。
【００１４】
当該構成のサーバコンピュータによれば、情報処理端末のディスプレイに表示されている合成画像において指定文書に付随する識別子にユーザの注意を向けさせることができる。そして、この合成画像を撮影した場合に指定文書のみならず識別子までもが写り、撮影した写真等を不正使用した場合に身元が判明してしまうことをユーザに明確に意識させることができる。これによって指定文書が含まれる合成画像を撮影、コピーして不正に使用しようとする心理が抑制されうる。
【００１５】
前記画像合成部が、前記第１処理部により認識された前記指定文書またはこれに含まれる文字のデザインと、前記第２処理部により認識された前記識別子またはこれに含まれる文字のデザインとが異なる前記合成画像を作成することが好ましい。
【００１６】
当該構成のサーバコンピュータによれば、情報処理端末のディスプレイに表示される合成画像において指定文書またはこれに含まれる文字のデザインと、識別子またはこれに含まれる文字のデザインとが差別化される。ここで「デザイン」は、形状、模様、色彩およびこれらの任意の組み合わせを意味し、かつ、静的なもののみならず動的なものも含む概念である。「色彩」は「色相」「彩度」および「明度」により表される。これにより、情報処理端末のディスプレイに表示された合成画像においてユーザにとって指定文書および識別子の識別を容易にすることができる。
【００１７】
前記画像合成部が、前記第１処理部により認識された前記指定文書および前記第２処理部により認識された前記識別子の重なり度を評価し、前記重なり度の相違に応じて前記指定文書またはこれに含まれる文字のデザインと、前記識別子またはこれに含まれる文字のデザインとが異なる前記合成画像を作成することが好ましい。
【００１８】
当該構成のサーバコンピュータによれば、情報処理端末のディスプレイに表示される合成画像における指定文書および識別子のそれぞれのデザインが指定文書および識別子の「重なり度」に応じて調節される。これにより、指定文書および識別子の重なり度が大きいほど両者が識別しにくくなる傾向に鑑みて、指定文書および識別子のデザインが適当に差別化された画像が表示され、ユーザにとっての指定文書および識別子の識別を容易にすることができる。
【００１９】
前記画像合成部が、前記重なり度が高いほど前記識別子の明度が前記指定文書の明度より高い前記合成画像を作成することが好ましい。
【００２０】
当該構成のサーバコンピュータによれば、指定文書および識別子の重なり度が大きいほど両者が識別しにくくなる傾向に鑑みて、識別子の明度および指定文書の明度が差別化されることで、情報処理端末のディスプレイに表示された合成画像における、ユーザにとっての指定文書および識別子の識別を容易にすることができる。
【００２１】
前記画像合成部が、画像において前記指定文書を包含する第１エリアと前記識別子を包含する第２エリアとの重なり面積を前記指定文書および前記識別子の重なり度として評価してもよい。
【００２２】
前記画像合成部が、前記第１処理部により認識された前記指定文書の機密保持の観点から定められた重要度を認識し、前記重要度の相違に応じて前記指定文書またはこれに含まれる文字のデザイン、または前記第２処理部により認識された前記識別子またはこれに含まれる文字のデザインを調節して前記合成画像を作成することが好ましい。
【００２３】
当該構成のサーバコンピュータによれば、情報処理端末のディスプレイに表示される合成画像に含まれる指定文書等のデザインの相違を通じて、当該指定文書の機密保持に鑑みて定められた重要度の高低をユーザに認識させることができる。
【００２４】
前記ユーザを認証する認証処理部をさらに備え、前記認証処理部により前記ユーザが認証された場合のみ前記第１処理部が当該ユーザにより指定された前記指定文書を認識することが好ましい。
【００２５】
当該構成のサーバコンピュータによれば、ユーザが認証された場合のみ情報処理端末のディスプレイに指定文書が含まれる合成画像が表示されうるので、当該指定文書の機密性が確保される。
【００２６】
前記第２処理部が、前記認証処理部による前記ユーザの認証に用いられた認証子に対応する前記識別子をデータベースから検索かつ認識することが好ましい。
【００２７】
当該構成のサーバコンピュータによれば、ユーザ認証用の認証子に対応する識別子と指定文書とが含まれる合成画像が情報処理端末のディスプレイに表示される。
【００２８】
前記画像合成部が、前記第１処理部により認識された前記指定文書が含まれる、前記情報処理端末に接続された印刷機器による印刷物に、前記第２処理部により認識された前記識別子を含ませることが好ましい。
【００２９】
当該構成のサーバコンピュータによれば、従来の文書管理システムと同様に、印刷機器による印刷物に含まれる文書の漏洩元を、当該印刷物に含まれる識別子に基づいて特定することができる。
【００３０】
前記課題を解決するための本発明の文書管理プログラムは、コンピュータを文書管理システムとして機能させるコンピュータプログラムであって、ユーザによる指定文書を認識する第１処理機能と、前記ユーザまたはその所属先を識別するための識別子を認識する第２処理機能と、前記第１処理機能により認識された前記指定文書が含まれている第１画像を、少なくとも前記第１画像が格納されているデータベースから検索し、または必要に応じて前記データベースから前記第１画像を構成する指定文書が含まれる第１基礎情報を検索し、該第１基礎情報に基づいて前記第１画像を作成する第１画像処理機能と、前記第２処理機能により認識された前記識別子が含まれている第２画像を、少なくとも前記第２画像が格納されている前記データベースから検索し、または必要に応じて前記データベースから前記第２画像を構成する前記識別子が含まれる第２基礎情報を検索し、該第２基礎情報に基づいて前記第２画像を作成する第２画像処理機能と、前記第１画像処理機能により作成または検索された前記第１画像と、前記第２画像処理部により作成または検索された前記第２画像とを合成することにより合成画像を作成する画像合成機能と、前記画像合成機能により作成された前記合成画像を前記情報処理端末の前記ディスプレイに表示させる画像出力機能とを前記コンピュータに付与することを特徴とする。
【００３１】
本発明の文書管理プログラムによれば、情報処理端末に表示されている文書が写真撮影された場合、この識別子も写真撮影され、その写真が不正コピーされて配布等された場合、その漏洩元を識別子に基づいて特定することができるように、文書を管理する機能をコンピュータに付与することができる。
【発明を実施するための形態】
【００３２】
本発明の文書管理システム、文書管理プログラム、当該システムの構成方法、およびサーバの実施形態について図面を用いて説明する。
【００３３】
図１に示されている文書管理システム１００は、ハードウェアとしてのサーバ（ＣＰＵ，ＲＯＭ，ＲＡＭ，Ｉ／Ｏ等により構成されている。）と、ＲＯＭ（メモリ）に格納され、サーバ（またはそのＣＰＵ）に諸機能を付与するソフトウェアとしての本発明の「文書管理プログラム」とにより構成されている。文書管理プログラムは最初からサーバのメモリに格納されていてもよいが、その一部または全部がサーバからのリクエストがあったとき等、任意のタイミングで他のサーバからダウンロードされてもよい。サーバは情報処理端末２００と、ネットワークを介した通信機能を有している。
【００３４】
文書管理システム１００は、認証処理部１０２と、第１処理部１１０と、第２処理部１２０と、画像処理部１３０とを備えている。
【００３５】
認証処理部１０２は、情報処理端末２００との通信によってこの情報処理端末２００に入力された認証子（パスワード、ユーザＩＤまたはこれらの組み合わせ）を認識し、この認証子に基づいてユーザを認証する。第１処理部１１０はユーザによって指定される文書を認識する。第２処理部１２０は情報処理端末２００のユーザまたはその所属先を識別するための識別番号、識別記号等の識別子を認識する。
【００３６】
画像処理部１３０は、第１画像処理部１３１と、第２画像処理部１３２と、画像合成部１３３と、画像出力部１３４とを備えている。
【００３７】
第１画像処理部１３１は第１処理部１１０により認識された文書が含まれている「第１画像」を準備する。第２画像処理部１３２第２処理部１２０により認識された識別子が含まれている第２画像を準備する。画像を準備するとは、外部機器から入力された、あるいはデータベースやメモリ等から検索された基礎情報を処理することによって画像を作成することのほか、データベースから画像を検索すること、メモリ等の記録媒体から画像を読み取ることを含む概念である。画像合成部１３３は第１画像処理部１３１により準備された第１画像と、第２画像処理部１３２により準備された第２画像とを合成する。画像出力部１３４は画像合成部１３３による合成画像を情報処理端末１２０に配信しかつ表示させる。
【００３８】
情報処理端末２００は、ディスプレイへの画像表示機能を有するパソコン、携帯電話機、ＰＤＡ等である。情報処理端末２００のうち一部または全部はプリンタ（印刷機器）２０２に接続されている。
【００３９】
前記構成の文書管理システム１００の機能について図２〜図４を用いて説明する。
【００４０】
まず、情報処理端末２００に文書を閲覧する際の初期画面が表示され、この初期画面にしたがって、ユーザにより情報処理端末２００にパスワードやＩＤ等の「認証子」が入力される（図２／Ｓ２０２）。
【００４１】
認証子は情報処理端末２００からサーバに送信され（図２／矢印Ａ１）、これに応じて認証処理部１０２が文書閲覧のためのユーザの「認証処理」を実行する（図２／Ｓ１０２）。具体的には、認証処理部１０２はこの認証子が所定のデータベースまたはメモリ等の記憶装置に登録または保存されているか否かに応じて、当該ユーザを認証する。
【００４２】
また、第１処理部１１０は認証処理部１０２によりユーザが認証されたことを要件として「第１処理」を実行する（図２／Ｓ１１０）。具体的には、第１処理部１１０は情報処理端末２００から送信された文書指定（ＵＲＬ指定等、ネットワークにおける文書の置き場所の指定）（図２／矢印Ａ１参照）に対応する文書をデータベースまたは他のサーバから検索して認識する。情報等を「認識する」とは、当該情報等をＲＡＭ等のメモリに保存させる等、後の処理の実行のために当該情報等を準備するあらゆる処理をも包含する概念である。
【００４３】
さらに、第２処理部１２０は第１処理と同様に認証処理部１０２によりユーザが認証されたことを要件として「第２処理」を実行する（図２／Ｓ１２０）。具体的には、第２処理部１２０は情報処理端末２００から送信された認証子（図２／矢印Ａ１参照）に対応する識別番号等の識別子をデータベースから検索して認識する。
【００４４】
続いて、画像処理部１３０は「画像処理」を実行する（図２／Ｓ１３０）。具体的には、第１画像処理部１３１が、第１処理部１１０により認識されたユーザの指定文書が含まれている第１画像を準備する「第１画像処理」を実行する（図２／Ｓ１３１）。これにより、図３（ａ）に示されているように指定文書ｐ１が含まれている第１画像が準備される。
【００４５】
また、第２画像処理部１３２はユーザまたはその所属先を識別するための識別子が含まれている第２画像を準備する「第２画像処理」を実行する（図２／Ｓ１３２）。これにより図３（ｂ）に示されているように「Ｊ０１２８６９」等の識別子ｐ２が含まれている第２画像が準備される。
【００４６】
さらに、画像合成部１３３は第１画像処理部１３１により準備された第１画像および第２画像処理部１３２により準備された第２画像を重ね合わせて合成する（図２／Ｓ１３３）。画像合成部１３３は、第１画像に含まれる個々の文書ｐ１と、第２画像に含まれる個々の識別子ｐ２との重なりが最小となるように、両者の配置を調節しながら第１画像および第２画像を重ね合わせる。これにより、図４に示されているように文書ｐ１および識別子ｐ２の重なりがない合成画像が作成される。
【００４７】
そして、画像出力部１３４が画像合成部１３３により作成された合成画像を、サーバから情報処理端末２００に送信させる（図２／Ｓ１３４，矢印Ａ２）。これに応じて、情報処理端末２００には、図４に示されているように文書ｐ１および識別子ｐ２は重ならないように配置された画像が表示される（図２／Ｓ２０４）。
【００４８】
また、合成画像において指定文書ｐ１に含まれる文字のデザインと、識別子ｐ２に含まれる文字のデザイン（形状、模様、色彩、またはこれらの任意の組み合わせを意味する。静的なデザインのみならず動的なデザインも含まれる。）が異なるように調節されている。たとえば、指定文書ｐ１に含まれる文字が、識別子ｐ２に含まれる文字よりもサイズが大きくなるように調節される。また、指定文書ｐ１に含まれる文字が、識別子ｐ２に含まれる文字よりも濃く（明度が低く）調節される。さらに、指定文書ｐ１に含まれる文字が黒色に調節される一方、識別子ｐ２に含まれる文字が青色に調節される。
【００４９】
この状態で情報処理端末２００がユーザの印刷操作に応じて「印刷処理」を実行し（図２／Ｓ２０６）、プリンタ２０２に情報処理端末２００の表示画面を印刷させた場合（図２／Ｓ２０８）、図４に示されている画像がそのまま紙媒体に印刷されるように、画像処理部１３０がこの画像を情報処理端末２００のディスプレイに表示させる。
【００５０】
前記機能を発揮する文書管理システム１００によれば、ユーザにより指定された指定文書ｐ１に加え、ユーザまたはその所属先を識別するための識別子ｐ２が含まれている合成画像が情報処理端末２００のディスプレイに表示される（図４参照）。
【００５１】
情報処理端末２００のディスプレイに表示されている合成画像が写真撮影された場合、この合成画像に含まれている指定文書ｐ１のみならず識別子ｐ２も写真撮影されることになる。したがって、その写真が不正にコピーされて配布等されても、その指定文書ｐ１の漏洩元を識別子に基づいて特定することができる。すなわち、識別子ｐ２が個人または組織を特定するためのスタンプとして指定文書ｐ１とともに合成画像に表示されることで、このような不正コピーをしようとする心理が抑制されうる。
【００５２】
また、情報処理端末２００のディスプレイに表示される合成画像において指定文書ｐ１および識別子ｐ２の重なり合いが回避されるので（図４参照）、ユーザにとっての指定文書ｐ１および識別子ｐ２の識別を容易にすることができる。
【００５３】
さらに、指定文書ｐ１に含まれている文字のデザインと、識別子ｐ２に含まれている文字のデザインとが異なる合成画像が情報処理端末２００のディスプレイに表示される（図４参照）。これにより、情報処理端末２００のディスプレイに表示される合成画像における、ユーザにとっての指定文書ｐ１および識別子ｐ２の識別を容易にすることができる。
【００５４】
また、画像処理部１３０は、第２処理部１２０により認識された識別子ｐ２が含まれる、情報処理端末２００に接続されたプリンタ２０２による印刷物に、第１処理部１１０により認識された指定文書ｐ１を含ませる。このため、プリンタ２０２による印刷物に含まれる指定文書ｐ１の漏洩元を、当該印刷物に含まれる識別子ｐ２に基づいて特定することができる。
【００５５】
さらに、ユーザが適正な認証子に基づいて認証された場合にのみ、この情報処理端末２００を通じて指定文書ｐ１が閲覧可能となるので（図２／Ｓ２０２，Ｓ２０４参照）、文書ｐ１の機密保持性を維持することができる。
【００５６】
なお、前記実施形態では文書管理システム１００がサーバにより構成されていたが、他の実施形態として文書管理システム１００がサーバに加えてまたは代えて一または複数の情報処理端末２００により構成されていてもよい。
【００５７】
前記実施形態では第１画像および第２画像が準備され、第１および第２画像が重ね合わせられることで指定文書ｐ１および識別子ｐ２が含まれる合成画像が作成されたが（図３（ａ）、図３（ｂ）、図４）、他の実施形態として第１画像および第２画像が準備されることなく指定文書ｐ１および識別子ｐ２が含まれる画像が作成されてもよい。
【００５８】
前記実施形態では図４に示されているように指定文書ｐ１および識別子ｐ２が重ならないように画像が合成されたが、他の実施形態として図５に示されているように指定文書ｐ１および識別子ｐ２が部分的に重なった画像が合成されてもよい。
【００５９】
当該他の実施形態の文書管理システム１００によれば、情報処理端末２００のディスプレイに表示された合成画像の写真やそのコピーにおいて、指定文書ｐ１および識別子ｐ２が部分的に重ね合わせられる。これにより、合成画像の写真またはそのコピー等からの識別子ｐ２の削除または消去を困難なものとし、識別子ｐ２が削除された指定文書ｐ１のコピー等が流布して文書漏洩元が特定されえなくなるような事態を回避することができる。
【００６０】
また、画像合成部１３３が、指定文書ｐ１および識別子ｐ２の相対的配置が動的に変化する合成画像を作成してもよい。
【００６１】
当該実施形態の文書管理システム１００によれば、情報処理端末２００のディスプレイに表示されている合成画像において指定文書ｐ１に付随する識別子ｐ２にユーザの注意を向けさせることができる（図４参照）。そして、この合成画像を撮影した場合に指定文書ｐ１のみならず識別子ｐ２までもが写真に写り、撮影した写真等を不正使用した場合に身元が判明してしまうことをユーザに明確に意識させることができる。これによって指定文書ｐ１が含まれている合成画像を撮影、コピーして不正に使用しようとする心理が抑制されうる。
【００６２】
さらに、画像合成部１３３が、第１処理部１１０により認識された指定文書ｐ１および第２処理部１２０により認識された識別子ｐ２の重なり度を評価し、この重なり度に基づいて識別子および指定文書のそれぞれのデザインが異なる合成画像を作成してもよい。
【００６３】
当該実施形態の文書管理システムによれば、情報処理端末２００のディスプレイに表示される合成画像における指定文書ｐ１に含まれる文字のデザインと、識別子ｐ２に含まれる文字のデザインとが、指定文書ｐ１および識別子ｐ２の「重なり度」に応じて調節される。たとえば、当該重なり度が高いほど識別子ｐ２の明度が指定文書ｐ１の明度より高く調節される。
【００６４】
これにより、当該重なり度が大きいほど両者が識別しにくくなる傾向に鑑みて、指定文書ｐ１および識別子ｐ２のデザインが適当に差別化された画像が情報処理端末２００に表示される。そして、情報処理端末２００のディスプレイに表示される画像における、ユーザにとっての文書ｐ１および識別子ｐ２の識別を容易にすることができる。
【００６５】
重なり度は、第１画像に含まれる個々の指定文書ｐ１を包含する第１エリアと、第２画像に含まれる個々の識別子ｐ２を包含する第２エリアとの重なり面積の総和をもって評価される。たとえば、画像全体にわたり図６（ａ）に示されているように第１エリアｓ１および第２エリアｓ２の重なりがない場合、重なり度は「０」と評価される。
【００６６】
また、図６（ｂ）および図６（ｃ）に示されているように第１エリアｓ１および第２エリアｓ２が重なっている場合、この重なり部分（斜線部分）の面積の大小に応じて重なり度が評価される。図６（ｃ）における第１エリアｓ１および第２エリアｓ２の重なり面積が、図６（ｂ）における第１エリアｓ１および第２エリアｓ２の重なり面積より大きいとすると、図６（ｃ）における重なり度は、図６（ｂ）における重なり度よりも高く評価される。
【００６７】
また、画像合成部１３３が、合成画像を構成する画素群のうち指定文書ｐ１が占める第１画素群と、識別子ｐ２が占める第２画素群との重なり画素数を両者の重なり度として評価してもよい。
【００６８】
さらに、画像合成部１３３が、第１処理部１１０により認識された指定文書ｐ１の重要度をデータベースの検索等によって認識し、この重要度に応じて指定文書ｐ１または識別子ｐ２のデザインを調節してもよい。
【００６９】
当該実施形態の文書管理システムによれば、情報処理端末２００のディスプレイに表示される合成画像に含まれる指定文書ｐ１のデザイン、または識別子ｐ２のデザインを通じて、当該指定文書ｐ１の機密保持等に鑑みた重要度をユーザに認識させることができる。
【図面の簡単な説明】
【００７０】
【図１】本発明の文書管理システムの構成例示図。
【図２】本発明の文書管理システムの機能説明図。
【図３】第１画像および第２画像の例示図。
【図４】第１画像および第２画像の合成画像の例示図。
【図５】第１画像および第２画像の合成画像の他の例示図。
【図６】文書および識別子の重なり度の説明図。
【図１】
0004772783.tif 000002
【図２】
0004772783.tif 000003
【図３】
0004772783.tif 000004
【図４】
0004772783.tif 000005
【図５】
0004772783.tif 000006
【図６】
0004772783.tif 000007